(57)【要約】【課題】鉄筋コンクリート用ドリルの穴鋸構造の改良を提供する。【解決手段】前記穴鋸は、軸方向に延伸されるシャンク、シャンクの後端に形成される嵌挿段、順に異なるリード角度でシャンクの先端に形成される第一ねじ山部及び第二ねじ山部、第二ねじ山部の軸方向に沿って形成されると共にシャンクの先端に向けて開放される切り屑収集室、第二ねじ山部を径方向に貫通させると共に切り屑収集室に連通される複数の穴部、及び第二ねじ山部の先端縁に嵌設される複数の刃部を有する。上述の部材の構成により、第二ねじ山部のリード角度を利用してコンクリート切り屑を案内させる構造設計により、異なる穿孔効率を発生させ、これにより使用者にドリルチャックに交換するよう警告し、ドリルチャックが摩耗するのを防ぐ。 【選択図】図１
2016132143.tif 000002
【特許請求の範囲】
【請求項１】
軸方向に延伸されるシャンクと、
前記シャンクの先端に順に形成されると共に、径方向に外に向けて拡大して順に形成される第一ねじ山部及び第二ねじ山部と、
前記第二ねじ山部に沿って軸方向に形成されると共に前記シャンクの先端に向けて開放される切り屑収集室と、
前記第二ねじ山部を径方向に貫通させると共に前記切り屑収集室に連通される複数の穴部と、
複数の前記第二ねじ山部の先端に嵌設される刃部と、
を有する鉄筋コンクリート用ドリルの穴鋸構造の改良であって、
ここでは、前記第一ねじ山部は、前記第一ねじ山部の外表面に沿うと共に前記第一ねじ山部の先端面を基準として、４５度より小さいリード角度で凹設される第一切り屑案内用溝（scrap chute）を具備し、
前記第二ねじ山部は、前記第二ねじ山部の外表面に沿うと共に、前記第二ねじ山部の先端面を基準として、４５度より大きいリード角度で凹設される複数の第二切り屑案内用溝を有し、且つ各前記第二切り屑案内用溝の一端が前記第一切り屑案内用溝に連通され、
各前記穴部は、各前記第二切り屑案内用溝の位置にそれぞれ対応して配置されることを特徴とする鉄筋コンクリート用ドリルの穴鋸構造の改良。
【請求項２】
前記第二ねじ山部は前記第二ねじ山部を径方向に貫通させると共に前記切り屑収集室に連通される工具孔を更に有することを特徴とする、請求項１記載の鉄筋コンクリート用ドリルの穴鋸構造の改良。
【発明の詳細な説明】
【技術分野】
【０００１】
本発明は、切り屑を累積させることで、使用者に対してドリルチャックを交換するように適時警告する穴鋸構造に関する。
【背景技術】
【０００２】
図４に示すように、従来のコンクリートの壁２０は穿孔過程において、穿孔経路上で鉄筋２１にぶつかると、鉄筋２１の穿孔用のドリルチャックに交換しなければ鉄筋２１の穿孔が行えず、鉄筋２１の切断後にコンクリートの壁２０の穿孔用のドリルチャックに再度交換して穿孔を継続することで、コンクリートの壁２０の穿孔を完成させる。
【発明の概要】
【発明が解決しようとする課題】
【０００３】
しかしながら、前述した従来の技術では、金属の穿孔用のドリルチャックは鉄筋２１の切断後に、使用者が気付かないうちにコンクリートの壁２０も穿孔してしまい、金属の穿孔用のドリルチャックが摩耗して、耐用年数が縮むことがある。
【０００４】
なお、上述の欠点を解消するため、使用者はたびたび穿孔動作を中断し、金属の穿孔用のドリルチャックを抜いて鉄筋２１を切断していないか検査してから別のドリルチャックに適時交換する。しかしながら、このように検査と中断を繰り返すのは、作業効率及び速度に対する影響が大きい。
【０００５】
また、本発明は、上記の事情を考慮してなされたもので、上記課題解決のため、本発明は、鉄筋コンクリート用ドリルの穴鋸構造の改良を提供することを主目的とする。
【０００６】
そこで、本発明者は上記の欠点が改善可能と考え、鋭意検討を重ねた結果、合理的設計で上記の課題を効果的に改善する本発明の提案に到った。
【課題を解決するための手段】
【０００７】
上述した課題を解決し、目的を達成するために、本発明に係る鉄筋コンクリート用ドリルの穴鋸構造の改良は、軸方向に延伸されるシャンクと、
前記シャンクの先端に順に形成されると共に径方向に外に向けて拡大して順に形成される第一ねじ山部及び第二ねじ山部と、
前記第二ねじ山部に沿って軸方向に形成されると共に前記シャンクの先端に向けて開放される切り屑収集室と、
前記第二ねじ山部を径方向に貫通させると共に前記切り屑収集室に連通される複数の穴部と、
複数の前記第二ねじ山部の先端に嵌設される刃部を有する鉄筋コンクリート用ドリルの穴鋸構造の改良であって、
ここでは、前記第一ねじ山部は、前記第一ねじ山部の外表面に沿うと共に前記第一ねじ山部の先端面を基準とし、４５度より小さいリード角度で凹設される第一切り屑案内用溝を具備し、
前記第二ねじ山部は、前記第二ねじ山部の外表面に沿うと共に前記第二ねじ山部の先端面を基準とし、４５度より大きいリード角度で凹設される第二切り複数の屑案内用溝を有し、且つ各前記第二切り屑案内用溝の一端が前記第一切り屑案内用溝に連通され、
各前記穴部は、各前記第二切り屑案内用溝の位置にそれぞれ対応して配置されることを特徴とする。
【発明の効果】
【０００８】
本発明によれば、使用者は穿孔作業を頻繁に中断する必要が無く、操作過程において穿孔速度の違いに応じて使用者に別のドリルチャックに交換するように適時警告する。
【図面の簡単な説明】
【０００９】
【図１】本発明に係る穴鋸を説明する外観斜視図である。
【図２】図１に示す実施形態による動作の概略図である。
【図３】図１に示す実施形態を示す一部断面模式図である。
【図４】従来のドリル作業を示す概略図である。
【発明を実施するための形態】
【００１０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【第１実施形態】
【００１１】
以下、第１実施形態を図１〜３に基づいて説明する。本発明に係る穴鋸１００は、軸方向に延伸されるシャンク１０、シャンク１０の後端に形成されると共に駆動工具(図示せず)に接続される嵌挿段１１、径方向に外に向けて拡大すると共にシャンク１０の先端に順に形成される第一ねじ山部１２及び第二ねじ山部１３、第二ねじ山部１３の軸方向に沿って形成されると共にシャンク１０の先端に向けて開放される切り屑収集室１４、第二ねじ山部１３を径方向に貫通させると共に切り屑収集室１４に連通される複数の穴部１３１、及び第二ねじ山部１３を径方向に貫通させると共に切り屑収集室１４に連通される工具孔１３２を有する。前記第二ねじ山部１３の先端縁には複数の刃部１５が嵌設される。
【００１２】
上述の第一ねじ山部１２は、第一ねじ山部１２の外表面に沿って螺旋して凹設される第一切り屑案内用溝１２１を有する。前記第一切り屑案内用溝１２１は先端面を基準とし、４５度より小さいリード角度で配置される。この角度での配置により、孔部２２中のコンクリート切り屑の案内及び排出を行う。
【００１３】
上述の第二ねじ山部１３は、第二ねじ山部１３の外表面に平行に沿って螺旋して凹設される複数の第二切り屑案内用溝１３３を有する。各第二切り屑案内用溝１３３は先端面を基準とし、４５度より大きいリード角度で配置される。各第二切り屑案内用溝１３３の一端が第一切り屑案内用溝１２１に連通される。この角度での配置により、孔部２２中の鉄筋切り屑の案内及び排出を行うが、但しコンクリート切り屑の案内及び排出には不利である。
【００１４】
上述の刃部１５は第二ねじ山部１３の各第二切り屑案内用溝１３３に対応する位置に配置される。
【００１５】
また、上述の穴部１３１は、第二ねじ山部１３の外表面及び第二切り屑案内用溝１３３の隣接箇所に対応する。
【００１６】
よって、以上が本発明の好ましい実施形態による、穴鋸の各部材の紹介である。続いて本発明の装設方式及び使用の特徴について紹介する。
【００１７】
さらに、使用者がコンクリートの壁２０の穿孔過程において、鉄筋２１にぶつかると、本発明に係る穴鋸１００に適時交換してから穿孔を続ける。この過程において、第一ねじ山部１２及び第二ねじ山部１３の外周縁とコンクリートの壁２０の孔部２２の内径面とが貼り合わされ、穴鋸１００の穿孔を補助する。また、第一ねじ山部１２は４５度よりより小さいリード角度で配置され、孔部２２中のコンクリート切り屑の排出をスムーズに行える。第二ねじ山部１３の刃部１５が鉄筋２１を切削する場合、第二ねじ山部１３の切り屑収集室１４には切削された鉄筋ブロック２１１及び鉄筋切り屑(コンクリート切り屑)が収納される。なお、第二ねじ山部１３の刃部１５が鉄筋２１(或いはコンクリートの壁２０)を切削する際に発生する鉄筋切り屑(コンクリート切り屑)は、圧縮されて各第二切り屑案内用溝１３３及び第一切り屑案内用溝１２１に順に沿って孔部２２から排出される。切り屑収集室１４中の鉄筋切り屑(コンクリート切り屑)は、各穴部１３１或いは工具孔１３２から各第二切り屑案内用溝１３３に溢れ出し、第一ねじ山部１２の第一切り屑案内用溝１２１に順に沿って孔部２２から排出される。
【００１８】
鉄筋２１の切削過程で発生する鉄筋切り屑は、第二切り屑案内用溝１３３のリード角度の構造設計により、第一切り屑案内用溝１２１に案内され、鉄筋切り屑は第二ねじ山部１３及び刃部１５の箇所に蓄積しにくい。故に使用者は穿孔過程で効率を一致させるように操作させ、明確な変化はない。
【００１９】
刃部１５により鉄筋２１を切断した後にコンクリートの壁２０の切削を開始すると、第二切り屑案内用溝１３３のリード角度の構造設計のため、コンクリート切り屑の案内には不利であり、コンクリート切り屑が第二ねじ山部１３及び刃部１５の先端に蓄積する。使用者が穿孔の操作過程で、本発明に係る穴鋸１００が空転して滑ったり停滞する現象が発生するため(穿孔の効率が低下)、これによって使用者にドリルチャックを適時交換するように警告し、ドリルチャックが不必要に摩損しないようにする。
【００２０】
また、切り屑収集室１４中に収集される鉄筋ブロック２１１は、使用者が工具３(適度な直径の棒体)を工具孔１３２に貫入させることで、鉄筋ブロック２１１を清掃する目的を達成させる。
【００２１】
なお、本発明は前述した実施の形態のみに限定されるものではなく、本発明の要旨を逸脱しない範囲において種々の変更が可能であることは勿論である。
【符号の説明】
【００２２】
１００：穴鋸
１０：シャンク
１１：嵌挿段
１２：第一ねじ山部
１２１：第一切り屑案内用溝
１３：第二ねじ山部
１３１：穴部
１３２：工具孔
１３３：第二切り屑案内用溝
１４：切り屑収集室
１５：刃部
２０：コンクリートの壁
２１：鉄筋
２１１：鉄筋ブロック
２２：孔部
３：工具
【図１】
2016132143.tif 000003
【図２】
2016132143.tif 000004
【図３】
2016132143.tif 000005
【図４】
2016132143.tif 000006